(57)【要約】【課題】この発明は、反射・迷光・ゴーストの効果的な防止を図り得るようにすることにある。【解決手段】枠部材３７に対してコンデンサレンズ３１、セパレータレンズ３５、ＡＦ用センサ３６を組付け配置して、上記セパレータレンズ３５の直前に複数の開口３８１を有し、コンデンサレンズ３１からの光束の入射される一方面における上記開口３８１の周囲に、他の領域に比して表面光沢具合を低く抑えた反射制限領域Ａが設けられる絞りマスク３８を配して構成したものである。【選択図】      図５
2009300607.tif 000002
【特許請求の範囲】
【請求項１】
被写体光束を集光するコンデンサレンズと、
上記コンデンサレンズを透過した上記光束を受けるセパレータレンズと、
上記セパレータレンズを透過した上記光束を受けるＡＦ用センサと、
上記コンデンサレンズ、上記セパレータレンズ、上記ＡＦ用センサが組付け配置される基台と、
上記セパレータレンズの直前に配置され、複数の開口を有し、上記光束の入射される一方面における少なくとも上記開口の周囲に、表面光沢具合を素材より低く抑えた反射制限領域が設けられた絞りマスクと、
を具備したことを特徴とする焦点検出装置。
【請求項２】
上記反射制限領域は、複数の開口の内壁を含むことを特徴とする請求項１記載の焦点検出装置。
【請求項３】
上記反射制限領域は、上記絞りマスクの両面における少なくとも上記開口の周囲に設けられることを特徴とする請求項１又は２記載の焦点検出装置。
【請求項４】
上記絞りマスクは、金属材料で形成され、エッチング加工処理を施して上記複数の開口を形成した後、ハーフエッチング処理を施し、黒着色処理を施して上記反射制限領域を形成したことを特徴とする請求項１乃至３のいずれか記載の焦点検出装置。
【請求項５】
上記絞りマスクは、上記基台に支持されて上記セパレータ絞りの直前に配置されることを特徴とする請求項１乃至４のいずれか記載の焦点検出装置。
【発明の詳細な説明】
【技術分野】
【０００１】
この発明は、例えばオートフォーカスタイプの一眼レフレックスカメラなどに用いられる焦点検出装置に関する。
【背景技術】
【０００２】
一般に、この種の焦点検出装置は、撮影光学系で取り込んだ光学像の一部が可動自在な反射メインミラー及びサブミラーを介してコンデンサレンズに取込まれる。このコンデンサレンズに取込まれた光束は、反射光学系、セパレータレンズを介してＡＦ（オートフォーカス）用センサに導かれて焦点距離の検出が行われる。
【０００３】
ところで、このような焦点検出装置は、反射光学系を介してコンデンサレンズに導かれて集光された光束を、セパレータ（Ｓ）絞りと称する絞りマスクを介してセパレータレンズに高精度に導くことにより、ＡＦ用センサによる高精度な焦点検出が可能となる。そのため、焦点検出装置においては、所望の合焦精度を得るように絞りマスクとセパレータレンズとの高精度な取付け配置を行ったうえで、さらに、絞りマスクとセパレータレンズ間に光束制限部材を配して、セパレータレンズに対する反射・迷光・ゴーストの侵入を押さえることにより、高精度な焦点検出を行うようにした焦点検出構成のものが提案されている（例えば、特許文献１参照。）。
【特許文献１】特開昭６３−１４２３１１号公報
【発明の開示】
【発明が解決しようとする課題】
【０００４】
しかしながら、上記特許文献１に開示される焦点検出装置では、絞り部材の開口周囲から発生する反射・迷光・ゴーストが原因の焦点検出低下についての解決策は示されていない。
【０００５】
この発明は、上記の事情に鑑みてなされたもので、反射・迷光・ゴーストの効果的な防止を図り得るようにして焦点検出精度の向上を図った焦点検出装置を提供することを目的とする。
【課題を解決するための手段】
【０００６】
この発明は、被写体光束を集光するコンデンサレンズと、上記コンデンサレンズを透過した上記光束を受けるセパレータレンズと、上記セパレータレンズを透過した上記光束を受けるＡＦ用センサと、上記コンデンサレンズ、上記セパレータレンズ、上記ＡＦ用センサが光路上に組付け配置される基台と、上記セパレータレンズの直前に配置され、複数の開口を有し、上記光束の入射される一方面における少なくとも上記開口の周囲に、表面光沢具合を素材より低く抑えた反射制限領域が設けられた絞りマスクとを備えて焦点検出装置を構成した。
【０００７】
上記構成によれば、絞りマスクは、その反射制限領域で周囲からの反射・迷光・ゴーストを制限して軽減を図り、コンデンサレンズを透過した光束のみをセパレータレンズに案内することにより、セパレータレンズを通して高精度な合焦が実現されてＡＦ用センサによる高精度な測距が可能となる。
【０００８】
これにより、高精度な焦点検出を実現することが可能となる。
【発明の効果】
【０００９】
以上述べたように、この発明によれば、反射・迷光・ゴーストの効果的な防止を図り得るようにして焦点検出精度の向上を図った焦点検出装置を提供することができる。
【発明を実施するための最良の形態】
【００１０】
以下、この発明の実施の形態に係る一眼レフレックスカメラのための焦点検出装置について、図面を参照して詳細に説明する。
【００１１】
図１は、この発明の一実施の形態に係る焦点検出装置を搭載した一眼レフレックスカメラを示すもので、カメラボディ１０は、前カバー１０１、ストロボカバー１０２及び後カバー１０３等で構成される。このうち、前カバー１０１には、その前面略中央部にボディマウント部１１が設けられ、このボディマウント部１１には、図示しない撮影光学系が選択的に装着されて撮影が行われる。
【００１２】
そして、ボディマウント部１１の後方略中央部には、メインミラー１２及びサブミラー１３が可動自在に配置される。また、カメラボディ１０には、カメラ上方に焦点板１４、ペンタプリズム１５、接眼光学系１６が上記メインミラー１２の反射光路上に順に配置され、そのカメラ下方に焦点検出装置を構成する焦点検出部３０が上記サブミラー１３の反射光路に対応して配置される。
【００１３】
そして、サブミラー１３後方の光路上には、シャッタ装置１７、ローパスフィルタ１８を介して撮像素子を含む撮像部１９が配置されている。この撮像部１９は、処理制御部を構成する図示しないＣＰＵの搭載された印刷配線基板２０に電気的に接続されている。
【００１４】
上記焦点検出部３０は、図２及び図３に示すようにコンデンサレンズ３１、第１のミラー３２、第２のミラー３３、赤外カットフィルタ３４、セパレータレンズ３５及びＡＦ（オートフォーカス）センサ３６が枠部材３７を介して後述するように組付け配置されている。このＡＦ用センサ３６は、例えば周知のセンサアレイを用いた位相差方式のものが用いられている。
【００１５】
上記コンデンサレンズ３１は、カメラ後方の斜め上向き方向に向いて基台である枠部材３７に取付けられ、このコンデンサレンズ３１の光軸上上方には、取付枠３７１が配置される。そして、光軸上下方には、コンデンサレンズ３１を透過して入射した光束を、上記撮影光学系の後方に反射するように上記第１のミラー３２が配置されている。この第１のミラー３２の反射光路には、第１のミラー３２で反射した光束をカメラ下方に反射するように上記第２のミラー３３が、配置されている。
【００１６】
第２のミラー３３の反射光路には、上記セパレータレンズ３５が、絞りマスクと称するセパレータ絞り３８を介して対向配置される（図２参照）。そして、これら第１及び第２のミラー３２，３３の反射面には、それぞれミラー絞り３９，４０が配置されている。
【００１７】
上記セパレータ絞り３８は、素材である金属材料、例えばＳＵＳ３０４ＣＳＰ１/２Ｈで、５/１００ｍｍ程度の厚さ寸法で形成され、図４に示すように略中央部に４個の開口３８１がセパレータレンズ３５の４個の光取入部３５１に対応してエッチング加工処理により形成される。そして、セパレータ絞り３８の開口３８１を挟んだ両側部には、対を構成する円形状の位置決め用第１の孔３８２、及び長孔形状の回転止め用第２の孔３８３が、上記枠部材３７に設けられた位置決め取付け用の一対の円柱状突部３７３，３７４の外径形状に対応して同様にエッチング加工処理により形成されている。
【００１８】
このうち第１の孔３８２は、上記枠部材３７の突部３７３の外径と同寸法の孔として形成される。本実施形態では、第１の孔３８２を直径１．４ｍｍで、寸法許容差＋０．００５ｍｍ、−０．０１ｍｍと設定し、突部３７３の外径は、直径１．４ｍｍで寸法許容差−０．０１ｍｍ、−０．０２５ｍｍと設定した。所謂、すきま嵌めである。その内壁に複数の第１の弾性係止部２８２ｂを構成する、例えば少なくとも３個、内径から外方に向けて、例えば放射状に切り欠いたスリット３８２ａが所定の間隔、例えば、円周方向に１３５度、１３５度、９０度の非等間隔に形成されている（図４中では、図示せず、図５参照）。したがって、スリット３８２ａ同士の間には、先端が円弧状に凹んだ凸状の上記弾性係止部３８２ｂが形成されることになる。
【００１９】
他方の第２の孔３８３は、長孔に形成され、その長軸が上記枠部材３７の一対の突起３７３，３７４を結んだ直線と平行に設けられる。この一対の長辺は、その直線を中央に挟み配置され、その一対の長辺同士の間隔が上記枠部材３７の突起３７４の外径と略同寸法に形成されている。この長軸方向の寸法は、上記突起３７４の外径より若干大きく形成されている。そして、この第２の孔３８３の一対の長辺の各内壁には、複数の第２の弾性係止部を構成する、例えば少なくとも２個、一対の長辺の一方の長辺を長辺方向に挟んで、内径から外方に向けて切り欠いたスリット３８３ａが所定の間隔に形成されている（図５参照）。
【００２０】
したがって、二つのスリット３８３ａの間には、先端が直線の突状の上記弾性係止部３８３ｂが形成されることになる。第２の孔３８３の長孔の孔幅方向の寸法を直径１，４ｍｍで寸法許容差＋０．００５ｍｍ、−０．０１ｍｍと設定し、円柱状突部３７４の外径も直径１．４ｍｍで寸法許容差−０．０１ｍｍ、−０．０２５ｍｍと設定した。所謂、すきま嵌めである。
【００２１】
したがって、一対の円柱状突部３７３，３７４と第１の孔３８２、第２の孔３８３の２箇所の嵌合部は、寸法差が０、すなわちクリアランスが無いときでも弾性係止部３８２ｂ、３８３ｂが撓むことができて嵌合は常に容易に可能となっていて、二つの嵌合部の寸法をつめることができて精度の高い組付けができることになる。
【００２２】
また、上記セパレータ絞り３８は、例えば図５に示すように光束入射側の一方面の上記開口３８１の内壁を含む周囲に反射制限手段を構成する反射制限領域Ａが形成される。この反射制限領域Ａは、素材に、例えばいわゆるハーフエッチング処理した後、黒着色処理であるステンレス黒着色処理が施されて、他の領域に比して表面を荒く形成して、素材より表面光沢具合が低く抑えられている。
【００２３】
したがって、この反射制限領域Ａは、表面からの光の反射が抑えられて不要な光が減じてセパレータレンズ３５に入射され難くしている。これにより、セパレータ絞り３８は、周囲からのフレアやゴーストを発生する不要光をセパレータレンズ３５に導くのを効果的に防止することができて、セパレータレンズ３５を通して高精度な合焦を実現し、ＡＦ用センサ３６による高精度な測距を可能とする。
【００２４】
上記セパレータレンズ３５には、両端部に対を構成する位置決め用の略円形状の第１の孔３５２及び回転止め用の長孔形状の第２の孔３５３が上記枠部材３７の突部３７３，３７４の外径形状に対応して設けられている。この第１及び第２の孔３５２，３５３には、上記セパレータ絞り３８の第１及び第２の孔３８２，３８３に挿通された上記枠部材３７の一対の突部３７３，３７４が嵌合する如く挿入される。
【００２５】
上記第１の孔３５２の孔寸法は、直径１．４ｍｍで寸法許容差＋０．０２ｍｍ、−０ｍｍと設定し、突部３７３の外径は、直径１．４ｍｍで寸法許容差−０．０１ｍｍ、−０．０２５ｍｍと設定した。所謂、すきま嵌めである。また、上記第２の孔３５３は、その長孔の孔幅方向の寸法を直径１．４ｍｍで寸法許容差＋０．０２ｍｍ、−０ｍｍと設定し、円柱状突部３７４の外径も直径１．４ｍｍで寸法許容差−０．０１ｍｍ、−０．０２５ｍｍと設定した。所謂、すきま嵌めである。
【００２６】
そして、このセパレータレンズ３５は、例えばＰＭＭＡ等の射出用合成樹脂からなっていることで、容易く、この素材の孔に弾性的挙動を望められず、軸との嵌合を、生産上での寸法ばらつきを考慮したうえで、可能な限り小さなクリアランスを採り得るように決定されている。
【００２７】
このようにして、セパレータレンズ３５は、枠部材３７の突部３７３，３７４に位置決めされて取付けられたセパレータ絞り３８に対して該枠部材３７の突部３７３，３７４を介して相互間が位置決めされて該枠部材３７に取付け配置される。これにより、セパレータ絞り３８は、第１及び第２の孔３８２，３８３の加工精度に影響を受けることなく、セパレータレンズ３５に対して所望の測距性能を確保できるまでの相対芯を得た状態に組付け配置される。
【００２８】
また、上記第１のミラー３２の反射光路であって、第１及び第２のミラー３２，３３の中間部には、上記赤外カットフィルタ３４が配置されている。この赤外カットフィルタ３４は、上記枠部材３７に支持されて第１のミラー３２の反射光路上に配置され、上記第１のミラー３２で反射された後の光束からＡＦ用センサ３６に不要な赤外光成分を除去し、第２のミラー３３に反射する。
【００２９】
第２のミラー３３は、入射した光束を上記セパレータ絞り３８の開口３８１を通してセパレータレンズ３５の光取入部３５１に向けて反射する。このセパレータレンズ３５の光軸上には、上記ＡＦ用センサ３６が配置され、セパレータ絞り３８の４個の開口３８１を通して入射した第２のミラー３３からの光束が、４分割されてＡＦ用センサ３６に入射案内される。
【００３０】
このＡＦ用センサ３６は、例えばホルダー部材３７２を介して上記枠部材３７に取付けられ、フレキシブル印刷配線基板４１を介して上記印刷配線基板２０に電気的に接続されている。ＡＦ用センサ３６は、セパレータレンズ３５から入射した光束に基づいて焦点位置を検出して、その検出信号を、フレキシブル印刷配線基板４１を介して印刷配線基板２０に出力する。
【００３１】
上記構成において、撮影光学系で取込んだ被写体光束は、メインミラー１２により反射されて焦点板１４及びサブミラー１３に導かれる。このうち焦点板１４に導かれた被写体光束は、ペンタプリズム１５を介して接眼光学系１６に導かれてファインダ接眼枠２１を介して観察される。
【００３２】
そして、メインミラー１２を透過した被写体光束の一部は、サブミラー１３に導かれて集光され、第１のミラー３２で撮影光学系の光軸後方に反射される。この第１のミラー３２で反射された光束は、赤外カットフィルタ３４で赤外光成分が除去された後、第２のミラー３３でカメラ下方に反射される。
【００３３】
この第２のミラー３３で反射された光束は、所望の相対芯を有して取付け配置されたセパレータ絞り３８により、その表面からの光の反射が抑えられて不要な光が減じられた反射・迷光・ゴーストを殆ど含まない状態で、その開口３８１からセパレータレンズ３５に導かれて４分割され、ＡＦ用センサ３６に入射される。
【００３４】
ＡＦ用センサ３６は、セパレータレンズ３５を通して入射された反射・迷光・ゴーストを殆ど含まない光束に基づいて焦点距離を検出して、その検出した検出信号を、フレキシブル印刷配線基板４１を介して上記印刷配線基板２０のＣＰＵ（図示せず）に出力する。このＣＰＵ（図示せず）は、入力した検出信号に基づいて所定の輝度処理を行って駆動信号を生成し、この駆動信号に基づいて上記撮影光学系の調整機構を駆動して焦点調整を実行する。
【００３５】
このように、上記焦点検出装置は、枠部材３７に対してコンデンサレンズ３１、セパレータレンズ３５、ＡＦ用センサ３６を組付け配置して、上記セパレータレンズ３５の直前に複数の開口３８１を有し、コンデンサレンズ３１からの光束の入射される一方面における上記開口３８１の周囲に、他の領域に比して表面光沢具合を低く抑えた反射制限領域Ａが設けられる絞りマスク３８を配して構成した。
【００３６】
これによれば、絞りマスク３８は、その反射制限領域Ａで周囲からの光の反射・迷光・ゴーストを制限して軽減を図り、コンデンサレンズ３１を透過した光束のみをセパレータレンズ３５に案内することにより、セパレータレンズ３５を通してＡＦ用センサ３６による高精度な合焦を可能とする。
【００３７】
この結果、従来のような別途に光制限部材を備えて部品点数の増加を図ることなく、高精度な合焦を実現することが可能となる。
【００３８】
なお、上記実施の形態では、セパレータ絞り３８の第１及び第２の孔３８２，３８３の双方にスリット３８２ａ，３８３ａをそれぞれ形成して、それぞれスリット３８２ａ，３８３ａの弾性力を利用して枠部材３７の一対の突部３７３，３７４を嵌合させるように構成した場合について説明したが、この構成に限ることなく、その他、少なくとも第１の孔３８２に３個以上のスリット３８２ａを形成して、このスリット３８２ａの弾性力を利用して第１及び第２の孔３８２，３８３に対して枠部材３７の一対の突部３７３，３７４を嵌合させて組付け配置するように構成しても良く、略同様の効果が期待される。
【００３９】
また、上記実施の形態では、弾性係止部として、スリット３８２ａ，３８３ａをセパレータ絞り３８の第１及び第２の孔３８２，３８３の内壁に内径から外方に形成するように構成した場合について説明したが、これに限ることなく、その他、第１及び第２の孔３８２，３８３の内壁に内径から外方に所定幅間隔で切り欠いた突状部を形成するように構成することも可能で、略同様の効果が期待される。
【００４０】
この場合にも、少なくとも第１の孔３８２に少なくとも３箇所以上の突状部を形成して、この突状部の弾性力を利用して第１及び第２の孔３８２，３８３に対して枠部材３７の一対の突部３７３，３７４を嵌合させて組付け配置するように構成することで、略同様の効果が期待される。
【００４１】
さらに、上記実施の形態では、枠部材３７のセパレータレンズ３５及びセパレータ絞り３８を取付け配置するための一対の突部３７３，３７４を設けて構成した場合について説明したが、これに限ることなく、その他、セパレータレンズ３５を、例えばプラスチック材料で形成して位置決め取付け用の一対の円柱状突部を設けるように構成することも可能で、略同様の効果が期待される。
【００４２】
また、上記実施の形態では、反射制限領域Ａをセパレータ絞り３８の入射側の一方面の開口３８１の周囲に設けるように構成した場合について説明したが、これに限ることなく、その他、セパレータ絞り３８の両面の開口３８１の周囲に設けるように構成してもよく、さらに有効な効果が期待される。
【００４３】
さらに、この反射制限領域Ａは、その他、開口３８１の周囲だけでなく、セパレータ絞り３８の一方面の全体、あるいは両面の全体に設けるように構成してもよい。
【００４４】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００４５】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００４６】
また、この発明は、上記実施の形態に基づいて、次のような構成を得ることもできる。
【００４７】
（付記１）
被写体光束を集光するコンデンサレンズと、
上記コンデンサレンズを透過した上記光束を受けるセパレータレンズと、
上記セパレータレンズを透過した上記光束を受けるＡＦ用センサと、
互いに離間した一対の円柱状の突部を有し、上記コンデンサレンズ、上記セパレータレンズ、上記ＡＦ用センサが組付け配置される基台と、
上記セパレータレンズの直前に配置され、複数の開口を有し、上記光束の入射される一方面における少なくとも上記開口の周囲に、表面光沢具合を素材より低く抑えた反射制限手段が設けられた絞りマスクと、
を具備したことを特徴とする焦点検出装置。
【００４８】
（付記２）
上記反射制限手段は、ハーフエッチング処理と、その後、黒色処理からなることを特徴とした付記１記載の焦点検出装置。
【００４９】
（付記３）
上記絞りマスクには、上記基台の突起に取付けるための一対の取付孔が設けられ、該取付孔を除いて上記ハーフエッチング処理が施されることを特徴とした付記１又は２記載の焦点検出装置。
【図面の簡単な説明】
【００５０】
【図１】この発明の一実施の形態に係る焦点検出装置を配した一眼レフレックスカメラの概略構成を説明するために示した断面図である。
【図２】図１の焦点検出部の外観構成を示した斜視図である。
【図３】図１の焦点検出部の配置構成を説明するために示した断面図である。
【図４】図１の焦点検出部のＡＦ用センサを枠部材から取外してセパレータレンズ及びセパレータ絞りと枠部材との配置関係を説明するために示した分解斜視図である。
【図５】図１の焦点検出部のセパレータ絞りの一例を示した平面図である。
【符号の説明】
【００５１】
１０…カメラボディ、１０１…前カバー、１０２…ストロボカバー、１０３…後カバー、１１…ボディマウント部、１２…メインミラー、１３…サブミラー、１４…焦点板、１５…ペンタプリズム、１６…接眼光学系、１７…シャッタ装置、１８…ローパスフィルタ、１９…撮像部、２０…印刷配線基板、２１…ファインダ接眼枠、２２…バックモニター、３０…焦点検出部、３１…コンデンサレンズ、３２…第１のミラー、３３…第２のミラー、３４…赤外カットフィルタ、３５…セパレータレンズ、３５１…結像レンズ、３５２，３５３…第１及び第２の孔、３６…ＡＦ用センサ、３７…枠部材、３７１…取付枠、３７２…ホルダー部材、３７３，３７４…突部、３８…セパレータ絞り（絞りマスク）、３８１…開口、３８２，３８３…第１及び第２の孔、３８２ａ，３８３ａ…スリット、３８２ｂ，３８３ｂ…第１及び第２の弾性係止部、３９，４０…ミラー絞り、４１…フレキシブル印刷配線基板、Ａ…反射制限領域。
【図１】
2009300607.tif 000003
【図２】
2009300607.tif 000004
【図３】
2009300607.tif 000005
【図４】
2009300607.tif 000006
【図５】
2009300607.tif 000007